(57)【特許請求の範囲】
【請求項１】
装置本体と前記装置本体に対して着脱可能なハンドル部からなる撮像装置であって、
前記装置本体の前方部分に配置された音声信号処理部と、
前記装置本体の前方部分に配置された、前記音声信号処理部に接続される第１の本体側接点部と、
前記装置本体の後方部分に配置された操作系信号処理部と、
前記装置本体の後方部分に配置された、前記操作系信号処理部に接続される第２の本体側接点部と、
前記ハンドル部の前方部分に配置されハンドル側マイクに接続される第１のハンドル側接点部と、
前記ハンドル部の後方部分に配置されたハンドル側操作部と、
前記ハンドル部の後方部分に配置された、前記ハンドル側操作部に接続される第２のハンドル側接点部と、を備え、
前記ハンドル部を前記装置本体に装着したとき、前記第１のハンドル側接点部と前記第１の本体側接点部とが電気的に接続されるとともに、前記第２のハンドル側接点部と前記第２の本体側接点部とが電気的に接続されることを特徴とする撮像装置。
【請求項２】
前記装置本体の前方部分に配置された前記音声信号処理部に接続される内蔵マイクと、
前記装置本体の後方部分に配置された前記操作系信号処理部に接続される本体側操作部と、をさらに備えることを特徴とする請求項１に記載の撮像装置。
【請求項３】
前記ハンドル部の前方部分に配置された前記ハンドル側マイクが接続されるマイクコネクタをさらに備え、
前記マイクコネクタと前記第１のハンドル側接点部とが接続されることを特徴とする請求項１又は２に記載の撮像装置。
【発明の詳細な説明】
【技術分野】
【０００１】
本発明は、装置本体に対して着脱可能なハンドル部を備え、且つ、ハンドル部に電気接点を有するデジタルビデオカメラ等の撮像装置に関する。
【背景技術】
【０００２】
デジタルビデオカメラ等の撮像装置では、装置本体の上部にハンドル部を着脱可能に装着したものがある。このハンドル部は、ローアングルからの撮影を容易にするほか、装置本体に対して着脱可能とすることで、携帯性や収納性を向上させるなどのメリットを有する。
【０００３】
この種の撮像装置としては、例えば、装置本体側に２か所のハンドル固定部を設け、ハンドル部側に２か所の装着部を設けたものが提案されている（特許文献１）。
【０００４】
この提案では、装置本体に対して一方の装着部を上下左右及び回転方向に位置決めし、他方の装着部に左右方向に進退するスライダを設けて装置本体に対して他方の装着部を前後方向に係止する。これにより、ハンドル部の装着状態において、装置本体に対してハンドル部を前後上下左右及び回転方向に固定することが可能となる。
【０００５】
また、近年、ローアングル撮影時などの操作性向上のため、ハンドルにズームやトリガーなどの操作スイッチを配置したものも多く見受けられる。この場合、操作系信号の授受をハンドル部と装置本体間で行うことから、装置本体に対してハンドル部を電気的に接続する必要がある。
【０００６】
図８及び図９に、装置本体に対して着脱可能なハンドル部を備え、且つ、ハンドル部に電気接点を有する従来のデジタルビデオカメラの一例を示す。図８は従来のデジタルビデオカメラの斜視図、図９は図８に示すデジタルビデオカメラのカメラ本体からハンドル部を取り外した状態を示す斜視図である。
【０００７】
このデジタルビデオカメラは、図８に示すように、カメラ本体８０の前方部分に撮影レンズ１１が設けられ、また、撮影者側から見てカメラ本体８０の右側部には、グリップベルト１３が設けられている。カメラ本体８０の上部には、ズームスイッチ１４、モードスイッチ１５、及び内蔵マイク１６が設けられている。
【０００８】
また、カメラ本体８０の上部には、ハンドル部９０が着脱可能に装着されている。ハンドル部９０の前方部分には、外部マイクホルダ５２、外部マイクホルダ５２に装着された外部マイクと電気的に接続される外部マイクコネクタ５３、及びアクセサリ取付部５４が設けられている。
【０００９】
また、図９に示すように、カメラ本体８０の上部には、固定部８１及び本体側接点部４１がカメラ本体８０の前後方向に離間して設けられている。一方、ハンドル部９０の前方部分には、装着部９１が設けられ、ハンドル部９０の後方部分には、ハンドル側接点部５６が設けられている。そして、図９の状態からハンドル部９０をカメラ本体８０に装着する際は、図の矢印方向にハンドル部９０をスライドさせて装着する。
【００１０】
このとき、固定部８１に装着部９１が係合するとともに、本体側接点部４１にハンドル側接点部５６が係合し、これにより、カメラ本体８０とハンドル部９０とが電気的に接続される。本体側接点部４１とハンドル側接点部５６との間では、主に操作系信号や音声信号、電源などが授受される。
【００１１】
図１０は、図８の状態からカメラ本体８０の外装部材１２及びハンドル部９０の外装部材５１等を取り外した状態を示す内部構造の斜視図である。
【００１２】
図１０において、メイン基板８２は、撮像した画像や音声信号の圧縮・加工処理や操作入出力信号の処理・映像信号の記録読み出し等の信号処理を行う。メイン基板８２には、オーディオブロック２１、及び操作系ブロック２２が配置されている。
【００１３】
オーディオブロック２１は、内蔵マイク１６や外部マイクから入力された音声などの微小なアナログオーディオ信号をアンプしデジタル処理する。操作系ブロック２２は、ズームスイッチ１４、モードスイッチ１５、及びハンドル部９０の操作系からの入出力信号を処理する。
【００１４】
また、メイン基板８２には、本体側接点部４１及び内蔵マイク１６がそれぞれフレキシブルプリント基板（以下、ＦＰＣという。）３１，３２を介して電気的に接続される。更に、メイン基板８２には、ズームスイッチ１４やモードスイッチ１５がＦＰＣ３３を介して接続される。
【００１５】
ＦＰＣ７０は、ハンドルズームスイッチ７０１やハンドルトリガースイッチ７０２を実装し、ハンドル側接点部５６と電気的に接続される。外部マイク基板６０は、外部マイクコネクタ５３を実装し、電源基板６１は、ＦＰＣ７０や外部マイク基板６０等に電源を供給する。
【００１６】
図１１は、図８に示すデジタルビデオカメラの電気系の概略を示すブロック図である。前述したように、外部マイク基板６０は、外部マイクコネクタ５３を実装し、外部マイクからの音声信号を受信する。このとき、電源基板６１では、メイン基板８２からＦＰＣ７０を介して受け取った電源信号を基に、外部マイクを動作させる為の電源信号を生成し、外部マイク基板６０に送信する。
【００１７】
オーディオキー基板６２は、マイクチャンネル切り替えスイッチやマイク感度調整ボリュームなどを実装し、それらの操作信号をオーディオ基板６３に伝達する。オーディオ基板６３では、マイクチャンネル切り替えスイッチやマイク感度調整ボリュームの操作に応じて、外部マイク基板６０から入力される音声信号を処理・生成する。ここで生成された音声信号は、電源基板６１及びＦＰＣ７０を介してハンドル側接点部５６に送られる。
【００１８】
また、ＦＰＣ７０に実装されたハンドルズームスイッチ７０１やハンドルトリガースイッチ７０２を操作した場合も、その操作信号はＦＰＣ７０からハンドル側接点部５６へと送られる。ハンドル側接点部５６へ送られたハンドル部９０からの操作信号は、本体側接点部４１及びＦＰＣ３１を介してメイン基板８２に伝達される。
【００１９】
一方、メイン基板８２のカメラ本体８０の前方部分には、オーディオ信号のアナログ／デジタル変換処理等を行うオーディオブロック２１が配置されている。内蔵マイク１６からの音声信号はＦＰＣ３２を介してメイン基板８２へと伝達され、オーディオブロック２１に送られて信号処理される。
【００２０】
また、カメラ本体８０に配置されたズームスイッチ１４及びモードスイッチ１５等の操作部からの操作信号は、ＦＰＣ３３を介してメイン基板８２に伝達された後、操作系ブロック２２に送られて信号処理される。
【先行技術文献】
【特許文献】
【００２１】
【特許文献１】特開平５−２９２３６７号公報
【発明の概要】
【発明が解決しようとする課題】
【００２２】
ところで、前述したように、ハンドル部９０から送られてくる操作信号や音声信号は、ＦＰＣ３１を介してメイン基板８２へと伝達される。これらの信号は、メイン基板８２で信号処理を行うため、操作信号は、操作系ブロック２２へ、音声信号は、オーディオブロック２１へとそれぞれメイン基板８２内でパターン結線される。
【００２３】
具体的には、図１１を参照して、操作信号は、パターンＨ４を通って操作系ブロック２２へと結線され、音声信号は、パターンＨ３を通ってオーディオブロック２１へと結線される。
【００２４】
このとき、メイン基板８２におけるハンドル部９０からの信号受信部は、メイン基板８２上でカメラ本体８０の後方部分となる領域に配置され、オーディオブロック２１は、メイン基板８２のカメラ本体８０の前方部分となる領域に配置されている。このため、パターンＨ３は、メイン基板８２のカメラ本体８０の後方部分となる領域から前方部分となる領域へと長い距離で結線される。
【００２５】
ここで、メイン基板８２では、各種ＩＣやドライバなどを動作させるＰＷＭ制御された電源信号や、映像情報の記録・読み出し等の可聴帯域で間欠動作する高負荷回路信号である記録系信号等、オーディオ信号線に対してノイズ源となる信号を含んでいる。
【００２６】
従って、音声信号は、パターンＨ３を通ってメイン基板８２のカメラ本体８０の前方部分となる領域に配置されたオーディオブロック２１までの距離を伝達される間、ノイズ源である電源信号ラインＰや記録系信号ラインＳを跨いだり、その近傍を通過する。この場合、微小なアナログ信号である音声信号は、ノイズの影響をうけ、信号品質の劣化を招くおそれがある。
【００２７】
そこで、本発明は、装置本体に対して着脱可能なハンドル部を備え、且つ、ハンドル部に電気接点を有する撮像装置において、ハンドル部から送られてくる音声信号の劣化を回避することができる仕組みを提供することを目的とする。
【課題を解決するための手段】
【００２８】
上記目的を達成するために、本発明の撮像装置は、装置本体と前記装置本体に対して着脱可能なハンドル部からなる撮像装置であって、前記装置本体の前方部分に配置された音声信号処理部と、前記装置本体の前方部分に配置された、前記音声信号処理部に接続される第１の本体側接点部と、前記装置本体の後方部分に配置された操作系信号処理部と、前記装置本体の後方部分に配置された、前記操作系信号処理部に接続される第２の本体側接点部と、前記ハンドル部の前方部分に配置されハンドル側マイクに接続される第１のハンドル側接点部と、前記ハンドル部の後方部分に配置されたハンドル側操作部と、前記ハンドル部の後方部分に配置された、前記ハンドル側操作部に接続される第２のハンドル側接点部と、を備え、前記ハンドル部を前記装置本体に装着したとき、前記第１のハンドル側接点部と前記第１の本体側接点部とが電気的に接続されるとともに、前記第２のハンドル側接点部と前記第２の本体側接点部とが電気的に接続されることを特徴とする。
【発明の効果】
【００２９】
本発明によれば、装置本体に対して着脱可能なハンドル部を備え、且つ、ハンドル部に電気接点を有する撮像装置において、ハンドル部から送られてくる音声信号の劣化を回避することができる。
【図面の簡単な説明】
【００３０】
【図１】本発明の撮像装置の実施形態の一例であるデジタルビデオカメラの斜視図である。
【図２】図１に示すデジタルビデオカメラのカメラ本体からハンドル部を取り外した状態を示す斜視図である。
【図３】図１の状態からカメラ本体の外装部材及びハンドル部の外装部材等を取り外した状態を示す内部構造の斜視図である。
【図４】図３の状態を背面側から見た斜視図である。
【図５】図３の矢印Ａ方向から見た図である。
【図６】図５のＲ部拡大断面図である。
【図７】デジタルビデオカメラの電気系の概略を示すブロック図である。
【図８】従来のデジタルビデオカメラの斜視図である。
【図９】図８に示すデジタルビデオカメラのカメラ本体からハンドル部を取り外した状態を示す斜視図である。
【図１０】図８の状態からカメラ本体の外装部材及びハンドル部の外装部材等を取り外した状態を示す内部構造の斜視図である。
【図１１】図８に示すデジタルビデオカメラの電気系の概略を示すブロック図である。
【発明を実施するための形態】
【００３１】
以下、本発明の実施形態の一例を図面を参照して説明する。
【００３２】
図１は本発明の撮像装置の実施形態の一例であるデジタルビデオカメラの斜視図、図２は図１に示すデジタルビデオカメラのカメラ本体からハンドル部を取り外した状態を示す斜視図である。なお、本実施形態では、既に図８〜図１１で説明した従来のデジタルビデオカメラと重複する部分については、各図に同一符号を付して説明する。
【００３３】
本実施形態のデジタルビデオカメラでは、図１に示すように、前後左右の方向を定義付ける。従ってカメラ本体１０の前方に撮影レンズ１１が設けられ、また、カメラ本体１０の右側には、グリップベルト１３が設けられている。カメラ本体１０の上部には、ズームスイッチ１４、モードスイッチ１５、及び内蔵マイク１６が設けられている。ここで、カメラ本体１０は、本発明の装置本体の一例に相当する。
【００３４】
また、カメラ本体１０の上部には、ハンドル部５０が着脱可能に装着されている。ハンドル部９０の前方部分には、外部マイクホルダ５２、外部マイクホルダ５２に着脱可能に装着される外部マイクと電気的に接続される外部マイクコネクタ５３、及びアクセサリ取付部５４が設けられている。ここで、外部マイクは、本発明のハンドル側マイクの一例に相当する。
【００３５】
そして、撮影者が右手をグリップベルト１３に通してカメラ本体１０を把持した状態で撮影を行う際には、撮影者の右手の人差し指は、ズームスイッチ１４及びモードスイッチ１５を操作可能な位置に配置される。また、撮影者の右手の親指は、カメラ本体１０の背面側の不図示のトリガースイッチを操作可能な位置に配置される。
【００３６】
このように、撮影時に使用するスイッチ類は、カメラ本体１０を把持する手で操作可能である必要があるため、カメラ本体１０の背面側や後方部分に配置される。ここで、ズームスイッチ１４、モードスイッチ１５、及び不図示のトリガースイッチは、本発明の本体側操作部の一例に相当する。
【００３７】
一方、内蔵マイク１６は、被写体の発する音声等を良好に入力するため、また、カメラ本体１０を把持した手で触れられることによる雑音の入力を避けるため、被写体に近いカメラ本体１０の前方部分に配置される。
【００３８】
また、撮影者がハンドル部５０を右手で把持して撮影を行う際には、撮影者の右手の親指が、ハンドル部５０上面側に配置されたハンドルズームスイッチ７０１やハンドルトリガースイッチ７０２（図３参照）を操作可能な位置に配置される。ここで、ハンドルズームスイッチ７０１及びハンドルトリガースイッチ７０２は、本発明のハンドル側操作部の一例に相当する。
【００３９】
外部マイクを使用する際は、外部マイクホルダ５２に外部マイクを装着し、外部マイクの出力端子を外部マイクコネクタ５３に挿入することで、外部マイクとカメラ本体１０とを電気的に接続する。外部マイクは、被写体の発する音声等を良好に入力するため、外部マイクホルダ５２や外部マイクコネクタ５３は、被写体に近いハンドル部５０の前方部分に配置される。
【００４０】
また、図２に示すように、カメラ本体１０の上部には、本体側接点部４０がカメラ本体１０の前方部分に位置して設けられ、本体側接点部４１がカメラ本体１０の後方部分に位置して設けられている。
【００４１】
また、ハンドル部５０には、２つのハンドル側接点部５５および５６が設けられている。ここで、本体側接点部４０は、本発明の第１の本体側接点部の一例に相当し、本体側接点部４１は、本発明の第２の本体側接点部の一例に相当する。また、ハンドル側接点部５５は、本発明の第１のハンドル側接点部の一例に相当し、ハンドル側接点部５６は、本発明の第２のハンドル側接点部の一例に相当する。
【００４２】
そして、図２の状態からハンドル部５０をカメラ本体１０に装着する際は、図中の矢印方向にハンドル部５０をスライドさせて装着する。
【００４３】
このとき、本体側接点部４０にハンドル側接点部５５を係合させることで、本体側接点部４０とハンドル側接点部５５とが電気的に接続される。本体側接点部４１にハンドル側接点部５６を係合させることで、本体側接点部４１とハンドル側接点部５６とが電気的に接続される。すなわち、カメラ本体１０とハンドル部５０とがカメラ本体１０の前方部分と後方部分の２か所で電気的に接続される。
【００４４】
ところで、ハンドル部５０に求められる電気的機能（例えばビデオライトＬＥＤや赤外光照射ＬＥＤなど）の数が増大した場合、ハンドル部５０に必要な電気接点数が増える。着脱式のハンドル部５０における各電気接点間のピッチは、接触信頼性を確保するため、所定の距離を保つ必要がある。
【００４５】
従って、単純に電気接点のピン数を増やすと、ハンドル部５０の大型化を招くことになる。本実施形態では、接点部をハンドル部５０に複数設けているため、複数の接点部に対して必要なピン数を振り分けることで、ハンドル部５０の大型化を招くことなく、ハンドル部５０の電気的機能の数の増大の要求に応えることが可能となる。
【００４６】
なお、本実施形態では、電気接点部をカメラ本体１０及びハンドル部５０にそれぞれ２カ所設けているが、３カ所以上設けるようにしてもよい。
【００４７】
図３は、図１の状態からカメラ本体１０の外装部材１２及びハンドル部５０の外装部材５１等を取り外した状態を示す内部構造の斜視図である。
【００４８】
図３において、メイン基板２０は、カメラ本体１０の内部に配置され、撮像した画像や音声信号の圧縮・加工処理や操作入出力信号の処理・映像信号の記録読み出し等の信号処理を行う。メイン基板２０には、オーディオブロック２１、及び操作系ブロック２２が配置されている。
【００４９】
オーディオブロック２１は、内蔵マイク１６や外部マイクから入力された音声などの微小なアナログオーディオ信号をアンプしデジタル処理する。操作系ブロック２２は、ズームスイッチ１４、モードスイッチ１５、及びハンドル部５０の操作系からの入出力信号を処理する。ここで、オーディオブロック２１は、本発明の音声信号処理部の一例に相当し、操作系ブロック２２は、本発明の操作系信号処理部の一例に相当する。
【００５０】
また、メイン基板２０には、前側コネクタ２３、後側コネクタ２４、操作系コネクタ２５、及び内蔵マイクコネクタ２６が実装されている。前側コネクタ２３と本体側接点部４０とは、ＦＰＣ３０を介して電気的に接続され、後側コネクタ２４と本体側接点部４１とは、ＦＰＣ３１を介して電気的に接続される。
【００５１】
ＦＰＣ３２は、内蔵マイク１６に接続された内蔵マイクワイヤ３４に接続され、内蔵マイクコネクタ２６を介してメイン基板２０へと音声信号を伝達する。ＦＰＣ３３は、操作系コネクタ２５に接続されて、ズームスイッチ１４やモードスイッチ１５とメイン基板２０とを電気的に接続する。
【００５２】
ＦＰＣ７０は、ハンドルズームスイッチ７０１やハンドルトリガースイッチ７０２を実装し、ハンドル側接点部５６と電気的に接続される。ＦＰＣ７１は、ハンドル側接点部５５と電気的に接続される。外部マイク基板６０は、外部マイクコネクタ５３を実装し、電源基板６１は、ＦＰＣ７０や外部マイク基板６０等に電源を供給する。
【００５３】
図４は、図３の状態を背面側から見た斜視図である。図４において、オーディオキー基板６２は、チャンネル切り替えやマイクの入力モード等を切り替えるオーディオモードスイッチ６２１やマイク感度を調節するボリューム６２２を実装する。オーディオ基板６３は、外部マイク基板６０から入力される音声信号を処理・生成し、ＦＰＣ７１を介してハンドル側接点部５５と電気的に接続される。
【００５４】
図５は図３の矢印Ａ方向から見た図、図６は図５のＲ部拡大断面図である。図５及び図６を参照して、ハンドル側接点部５５の接点５５２、及び本体側接点部４０の接点４０２は、共に導通性及びバネ性を有する金属等の材料が用いられる。接点５５２，４０２は、図６の紙面に直交する奥行き方向に複数配置される。
【００５５】
そして、カメラ本体１０の前方部分のハンドル側接点部５５のスリットに挿入されたＦＰＣ７１の銅箔部に対して本体側接点部４０の接点５５２が付勢された状態で接触して電気的に接続される（図６のＬ部）。接点４０２は、接点５５２の平面部に対して付勢された状態で接触して電気的に接続される（図６のＭ部）。また、接点４０２は、ＦＰＣ３０の銅箔部に対して付勢された状態で接触して電気的に接続される（図６のＮ部）。
【００５６】
これにより、ＦＰＣ７１とＦＰＣ３０とがハンドル側接点部５５及び本体側接点部４０を介して接続される。なお、カメラ本体１０の後方部分のハンドル側接点部５６と本体側接点部４１についても、上記同様にして、ＦＰＣ７０とＦＰＣ３１とがハンドル側接点部５６及び本体側接点部４１を介して接続される。
【００５７】
図７は、デジタルビデオカメラの電気系の概略を示すブロック図である。前述したように、外部マイク基板６０は、外部マイクコネクタ５３を実装し、外部マイクからの音声信号を受信する。このとき、電源基板６１では、メイン基板２０からＦＰＣ７０を介して供給される電源信号を基に、外部マイクを動作させる為の電源信号を生成し、外部マイク基板６０に送信する。
【００５８】
オーディオキー基板６２は、チャンネル切り替えやマイクの入力モード等を切り替えるオーディオモードスイッチ６２１やマイク感度を調節するボリューム６２２などを実装し、それらの操作信号をオーディオ基板６３に伝達する。
【００５９】
オーディオ基板６３では、オーディオモードスイッチ６２１やボリューム６２２等の操作に応じて、外部マイク基板６０から入力される音声信号を処理・生成する。ここで生成された音声信号は、ＦＰＣ７１を介してハンドル側接点部５５に出力され、本体側接点部４０及びＦＰＣ３０を介してメイン基板２０のオーディオブロック２１へ伝達される。
【００６０】
また、ＦＰＣ７０に実装されたハンドルズームスイッチ７０１及びハンドルトリガースイッチ７０２からの操作信号は、ＦＰＣ７０からハンドル側接点部５６へ出力され、本体側接点部４１及びＦＰＣ３１を介してメイン基板２０の操作系ブロック２２へ伝達される。
【００６１】
このように、外部マイクから入力される音声信号がメイン基板２０のカメラ本体１０の前方部分となる領域へ接続され、操作信号や電源信号等がメイン基板２０のカメラ本体１０の後方部分となる領域へ接続されることとなる。
【００６２】
一方、メイン基板２０上でカメラ本体１０の前方部分となる領域には、オーディオ信号のアナログ／デジタル変換処理等を行うオーディオブロック２１が配置されている。内蔵マイク１６からの音声信号は、ＦＰＣ３２を介してメイン基板２０へと伝達され、オーディオブロック２１に送られて信号処理される。
【００６３】
ここで、内蔵マイク１６からの音声信号は、微弱でノイズの影響を受けやすいアナログ信号である。従って、内蔵マイク１６からの音声信号の劣化を防止するために、音声信号のメイン基板２０の接続部である内蔵マイクコネクタ２６からオーディオブロック２１までのパターン結線距離を出来る限り短くするのが好ましい。
【００６４】
また、カメラ本体１０に配置されたズームスイッチ１４及びモードスイッチ１５等の操作部からの操作信号は、ＦＰＣ３３を介してメイン基板２０に伝達された後、操作系ブロック２２に送られて信号処理される。ズームスイッチ１４及びモードスイッチ１５等の操作部は、撮影時に撮影者が操作しやすいように、カメラ本体１０の後方部分に配置される。
【００６５】
このため、操作系ブロック２２は、メイン基板２０のカメラ本体１０の後方部分となる領域に配置するのが好ましい。操作系ブロック２２をメイン基板２０上でカメラ本体１０の後方部分となる領域に配置することで、ＦＰＣ３３の長さを短くして、低コスト化を図れる他、メイン基板２０のパターン結線も短くできるため、メイン基板２０の小型化にも寄与できる。
【００６６】
次に、ハンドル部５０からメイン基板２０に送られてくる電気信号の処理に関して説明する。
【００６７】
まず、ハンドル部５０の外部マイクからメイン基板２０に送られる音声信号は、ＦＰＣ７１とＦＰＣ３０がカメラ本体１０の前方部分の本体側接点部４０及びハンドル側接点部５５を介して接続されることで、メイン基板２０のオーディオブロック２１へ伝達される。
【００６８】
ＦＰＣ３０は、メイン基板２０に実装された前側コネクタ２３へ接続され、前側コネクタ２３に入力された音声信号は、メイン基板２０で信号処理を行うため、図７に示すパターンＨ１を通り、オーディオブロック２１へ結線される。
【００６９】
ここで、図７に示すように、前側コネクタ２３及びオーディオブロック２１は共に、メイン基板２０上でカメラ本体１０の前方部分となる領域に配置されるため、パターンＨ１は、極短い距離で結線される。
【００７０】
これにより、ハンドル部５０の外部マイクから入力された音声信号は、メイン基板２０においてノイズ源である例えば図７に示す電源ラインＰや記録系信号ラインＳの影響を受けることなく、信号処理することが可能となる。また、メイン基板２０での結線パターンＨ１を短くできるので、メイン基板２０の外形を小さくすることができ、デジタルビデオカメラの小型化や低コスト化を図ることができる。
【００７１】
一方、ハンドル部５０の操作部からメイン基板２０に送られてくる操作信号は、ＦＰＣ７０とＦＰＣ３１とがカメラ本体１０の後方部分の本体側接点部４１及びハンドル側接点部５６を介して接続されることで、メイン基板２０の操作系ブロック２２へと伝達される。
【００７２】
後側ＦＰＣ３１は、メイン基板２０に実装された後側コネクタ２４へと接続され、後側コネクタ２４に入力された操作信号は、メイン基板２０で信号処理を行うため、図７に示すパターンＨ２を通って操作系ブロック２２へ結線される。
【００７３】
ここで、図７に示すように、後側コネクタ２４及び操作系ブロック２２は共に、メイン基板２０上でカメラ本体１０の後方部分となる領域に配置されるため、パターンＨ２は、極短い距離で結線される。これにより、メイン基板２０の外形を小さくすることができ、デジタルビデオカメラの小型化や低コスト化を図ることができる。
【００７４】
以上説明したように、本実施形態では、カメラ本体１０に対して着脱可能なハンドル部５０を備え、且つ、ハンドル部５０に電気接点を有するデジタルビデオカメラにおいて、ハンドル部５０から送られてくる音声信号の劣化を回避することができる。また、本実施形態では、メイン基板２０の外形を小さくすることができるので、デジタルビデオカメラの小型化や低コスト化を図ることができる。
【符号の説明】
【００７５】
１０  カメラ本体
１６  内蔵マイク
２０  メイン基板
２１  オーディオブロック
２２  操作系ブロック
４０  本体側接点部
４１  本体側接点部
５０  ハンドル部
５５  ハンドル側接点部
５６  ハンドル側接点部
【図１】
0005627548.tif 000002
【図２】
0005627548.tif 000003
【図３】
0005627548.tif 000004
【図４】
0005627548.tif 000005
【図５】
0005627548.tif 000006
【図６】
0005627548.tif 000007
【図７】
0005627548.tif 000008
【図８】
0005627548.tif 000009
【図９】
0005627548.tif 000010
【図１０】
0005627548.tif 000011
【図１１】
0005627548.tif 000012